(57)【要約】      （修正有）【課題】内部に入っているペットを観賞し易く観賞性に優れ、かつ、出入口が常に開口していることはなく防寒効果が高く防寒性に優れるペット用ベッドを提供する。【解決手段】ペット用の寝床となるベッド部２と、前記ベッド部を取り囲みその上方を覆うように設けられたフード部４と、を有し、更に、前記フード部において略横方向に出入り可能に設けられた開口部６と、前記開口部の上部内側に着脱可能に取り付けられ、かつ、前記開口部を開閉可能に塞ぐ扉部８と、を有する。【選択図】図１
0003177310.tif 000002
【実用新案登録請求の範囲】
【請求項１】
ペット用の寝床となるベッド部と、前記ベッド部を取り囲みその上方を覆うように設けられたフード部と、を有し、
更に、前記フード部において略横方向に出入り可能に設けられた開口部と、前記開口部の上部内側に着脱可能に取り付けられ、かつ、前記開口部を開閉可能に塞ぐ扉部と、を有すること、を特徴とするペット用ベッド。
【請求項２】
少なくとも前記フード部の内表面及び前記開口部の外側周縁部が、起毛織布で覆われていること、を特徴とする請求項１に記載のペット用ベッド。
【請求項３】
前記フード部が、円筒部と前記円筒部の上端に位置する天井部とを有し、
前記開口部が、前記円筒部に設けられていること、
を特徴とする請求項１又は２に記載のペット用ベッド。
【請求項４】
前記フード部が、略半円筒部と前記略半円筒部の両端に位置する側面部とを有し、
前記開口部が、前記略半円筒部に設けられていること、
を特徴とする請求項１又は２に記載のペット用ベッド。
【考案の詳細な説明】
【技術分野】
【０００１】
本考案は、ペット用ベッドに関する。
【背景技術】
【０００２】
ネコ等のペットのために使用するベッドに関連して、例えば特許文献１（実開平７−２５７５２号公報）においては、犬小屋用出入口覆い装置が提案されており、犬小屋の出入口に配設され、上下に延びる複数個の切離部分により複数個の帯状垂れ部分が並列形成された可撓性合成樹脂からなる少なくとも一対の覆いカバー部を備え、一対の覆いカバー部の、一方の切離部分と他方の切離部分とが相互に左右にずれて形成されている。
【０００３】
上記特許文献１の犬小屋用出入口覆い装置は、犬小屋の出入口から入る風や雨、雪等を塞ぐことができると共に切離部分を帯状垂れ部分が相互に塞ぐことができ、切離部分からの風や雨、雪等の進入を良好に防ぐことができるというものである。
【０００４】
しかし、上記犬小屋用出入口覆い装置は、外観的には、出入口が完全に閉鎖された構造となっており、ペットの出入りにとって実質的に邪魔となることがあったり、ペットが犬小屋に入ろうとしないことがあったり、ペットが犬小屋に入ってしまうと外部からペットの様子を観賞できなかったりするという問題があった。
【０００５】
これに対し、本発明者は、特許文献２（特開２０１２−０３９９２３号公報）において、ペットが自らの意志で出入りすることができ、ペットにとって防寒効果が高く、飼い主等がペットの愛くるしい仕草を観賞し易いペット用ベッドを提案している。
【０００６】
即ち、上記特許文献２においては、ペット用の寝床とするベッド部と、このベッド部のまわりを取り囲み且つベッド部上方を覆うように設けられたフード部とを有し、フード部には縦方向に起立する周壁部が設けられており、この周壁部には、ペットの頭部は通らないが完全には閉鎖しないスリット状開口を有する出入口が設けられ、この出入口は、スリット状開口の開口まわりを形成する部材の弾性変形により拡開してペット用の通り抜けスペースを形成可能になっていることを特徴とするペット用ベッドを提案している。
【先行技術文献】
【特許文献】
【０００７】
【特許文献１】実開平７−２５７５２号公報
【特許文献２】特開２０１２−０３９９２３号公報
【考案の概要】
【考案が解決しようとする課題】
【０００８】
しかしながら、上記特許文献２のペット用ベッドにおいては、出入口がスリット状開口を有するだけであることから、内部に入っているペットを観賞しにくく、観賞性の観点からは未だ改善の余地があり、また、スリット状開口が常に開口していることから、防寒性の観点からも未だ改善の余地があった。
【０００９】
そこで、本考案の目的は、内部に入っているペットを観賞し易く観賞性に優れ、かつ、出入口が常に開口していることはなく防寒効果が高く防寒性に優れるペット用ベッドを提供することにある。
【００１０】
上記課題を解決すべく、本考案は、
ペット用の寝床となるベッド部と、前記ベッド部を取り囲みその上方を覆うように設けられたフード部と、を有し、
更に、前記フード部において略横方向に出入り可能に設けられた開口部と、前記開口部の上部内側に着脱可能に取り付けられ、かつ、前記開口部を開閉可能に塞ぐ扉部と、を有すること、を特徴とするペット用ベッドを提供する。
【００１１】
このような構成を有する本考案のペット用ベッドにおいては、開口部の上部内側に着脱可能に取り付けられかつ開口部を開閉可能に塞ぐ扉部を有することから、内部に入っているペットを観賞し易く、かつ、扉部は閉じている際には開口部を塞ぐことができることから、出入口が常に開口しているとことはなく防寒効果も高い。即ち、本考案のペット用ベッドは、観賞性及び防寒性に優れる。
【００１２】
上記の本考案のペット用ベッドにおいては、少なくとも前記フード部の内表面及び前記開口部の外側周縁部が、起毛織布で覆われていること、が好ましい。
【００１３】
このような構成を有する本考案のペット用ベッドによれば、扉部が開口部を開閉可能に塞ぐものであっても、開口部付近の保温効果が高く、更に高い防寒性が得られる。
【００１４】
また、上記の本考案のペット用ベッドは、例えば、前記フード部が、円筒部と前記円筒部の上端に位置する天井部とを有し、前記開口部が、前記円筒部に設けられている形態を有してもよく、また、前記フード部が、略半円筒部と前記略半円筒部の両端に位置する側面部とを有し、前記開口部が、前記略半円筒部に設けられている形態を有してもよい。
【００１５】
このような構成を有する本考案のペット用ベッドによれば、開口部の上部内側に着脱可能に取り付けられかつ開口部を開閉可能に塞ぐ扉部をより確実に設けることができ、観賞性及び防寒性に優れる本考案のペット用ベッドをより確実に実現することができる。
【考案の効果】
【００１６】
本考案のペット用ベッドは、内部に入っているペットを観賞し易く観賞性に優れ、かつ、出入口が常に開口していることはなく防寒効果が高く防寒性に優れる。
【図面の簡単な説明】
【００１７】
【図１】本考案のペット用ベッドの第１実施形態の正面図である。
【図２】図１に示す本考案のペット用ベッド１の扉部８を外側に開いた様子を示す斜視図である。
【図３】図１に示す本考案のペット用ベッド１の扉部８を外した様子を示す斜視図である。
【図４】図１に示す本考案のペット用ベッド１の扉部８の正面図である。
【図５】図１に示す本考案のペット用ベッド１の扉部８が取り付けられる部分を示す部分拡大図である。
【図６】本考案のペット用ベッドの第２実施形態の正面図である。
【図７】図６に示す本考案のペット用ベッド１１の扉部１８を外側に開いた様子を示す斜視図である。
【図８】図６に示す本考案のペット用ベッド１１の扉部１８を外した様子を示す斜視図である。
【図９】図６に示す本考案のペット用ベッド１１の扉部１８の正面図である。
【図１０】図６に示す本考案のペット用ベッド１１の扉部１８が取り付けられる部分を示す部分拡大図である。
【考案を実施するための形態】
【００１８】
以下において、本考案のペット用ベッドの代表的な実施形態について、図面を参照しつつ詳細に説明するが、本考案はこれらのみに限定されるものではない。また、以下の説明では、同一又は相当部分には同一符号を付し、重複する説明は省略することもある。図面は、本考案を概念的に説明するためのものであるから、理解容易のために、必要に応じて寸法、比又は数を誇張又は簡略化して表している場合もある。
【００１９】
なお、本考案のペット用ベッドを使用させるペットは、家庭内等で飼育されるペットであればなんでもよく、例えば、ネコ、イヌ、フェレット、モルモット及び豚等が挙げられる。
【００２０】
≪第１実施形態≫
図１〜図５は本考案のペット用ベッドの第１実施形態を示している。図１は第１実施形態のペット用ベッド１の正面図であり、図２は、ペット用ベッド１の扉部８を外側に開いた様子を示す斜視図である。また、図３は、ペット用ベッド１の扉部８を外した様子を示す斜視図であり、図４は、のペット用ベッド１の扉部８の正面図である。更に、図５は、ペット用ベッド１の内側において扉部８が取り付けられる部分を示す部分拡大図である。
【００２１】
図１に示すように、ペット用ベッド１は、ペット用の寝床となるベッド部２と、ベッド部２を取り囲みその上方を覆うように設けられたフード部４と、を有し、更に、フード部４において略横方向に出入り可能に設けられた略円形状の開口部６と、開口部６の上部内側に着脱可能に取り付けられかつ開口部６を開閉可能に塞ぐ扉部８と、を有する。
【００２２】
そして、少なくともフード部４の内表面及び開口部６の外側周縁部６ａが、ボア生地（起毛織布）で覆われており、フード部４が、円筒部４ａと円筒部４ａの上端に位置する天井部４ｂとを有し、開口部６は円筒部４ａに設けられている。
【００２３】
ベッド部２は、ペットが寝床とするのに好適な大きさに形成された盤体である。本実施形態では平面視にて略円形状である。このベッド部２は、例えば弾性芯材を表裏両側から外皮生地で包み込んだ構造を有しており、所定厚みを有してクッション性を有している。弾性芯材には、例えば肉厚１〜３ｃｍ程度のウレタンフォーム又は綿等を使用することができる。
【００２４】
外皮生地には、ポリエステル等を含むボア生地などを採用することができる。ベッド部２の上面（ペットが乗る面）に用いる外皮生地に毛足の長いボア生地（起毛織布）を採用すると、ペットにとっても、また飼い主等にとっても、肌触りの良好なものとなる。また、吸水性や通気性が豊富となるような生地選びをすることもできる。
【００２５】
これに対し、ベッド部２の下面（床面などへ置く面）に用いる外皮生地では、例えば撥水性（非浸透性）を重視した生地選びをするのが好適である。また、下面には例えば樹脂コーティング等により滑り止め加工を施しておいてもよい。
【００２６】
フード部４は、ベッド部２のまわり（外周）を取り囲み、かつベッド部２の上方を覆うように設けられている。このフード部４は、ベッド部２のまわりを取り囲むための円筒部（壁要素）４ａと、ベッド部２の上方を覆う略ドーム状の天井部（天井要素）４ｂと、を別々に設けて、これらが結合されている。
【００２７】
これにより、ペット用ベッド１は、その全体として（フード部４の外形状として）、直立する円筒形状を呈するものとなっている。なお、壁要素と天井要素とは単一の部材で一体的に形成された構造を採用することもできる。
【００２８】
円筒部４ａ、天井部４ｂ及び扉部８は、ベッド部２と略同様に、弾性芯材を外皮生地で包み込んだ構造であってよい。材質的にも同様であって、弾性芯材にはウレタンフォーム又は綿等を採用し、外皮生地にはポリエステル等を含むボア生地（起毛織布）等を採用することができる。これにより洗濯機での丸洗いが可能であり、そのため、常に臭いやカビのない清潔な状態に維持できる利点がある。ただし、外皮生地に滑べり止め機能、吸水性及び撥水性等は必要ではなく、通気性が適度に確保されたものを採用するのが好適である。
【００２９】
ペット用ベッド１は、円筒部４ａの一部には、正面側に、略横方向にペットが出入り可能な出入口となる開口部６が設けられており、開口部６の上部内側に着脱可能に取り付けられかつ開口部６を開閉可能に塞ぐ扉部８を有している。図２に示すように、例えばペットが扉部８を押す等して扉部８が外側方向に開けば、扉部８が開いて内部を開放させることができる。
【００３０】
ここで、図４に示すように、本実施形態における扉部８は、略円形状部と耳部とが一体的に形成された構造を有しており、耳部には横方向に略短冊状（ストリップ形状）の面ファスナー８ａが設けられている。他方、図５に示すように、ペット用ベッド１の内側においては、フード部４の円筒部４ａに、上記の面ファスナー８ａに対応するように、開口部６の上部内側に面ファスナー４ｃが設けられている。
【００３１】
これら面ファスナー８ａ及び面ファスナー４ｃは、一対の雄面ファスナー及び雌面ファスナーをなしており（いずれか一方が雄で他方が雌であり）、これにより、扉部８は円筒部４ａに着脱可能に取り付けられ、かつ、開口部６を開閉可能に塞ぐことができる。
【００３２】
なお、フード部４の円筒部４ａの内表面及び開口部６の外側周縁部６ａが、ポリエステル等を含むボア生地（起毛織布）起毛織布で覆われている。
【００３３】
このような構成により、開口部６の上部内側に着脱可能に取り付けられかつ開口部６を開閉可能に塞ぐ扉部８を有する本実施形態のペット用ベッド１は、防寒性及び観賞性に優れるものである。
【００３４】
≪第２実施形態≫
図６〜図１０は本考案のペット用ベッドの第２実施形態を示している。図６は第２実施形態のペット用ベッド１１の正面図であり、図７は、ペット用ベッド１１の扉部１８を外側に開いた様子を示す斜視図である。また、図８は、ペット用ベッド１１の扉部１８を外した様子を示す斜視図であり、図９は、のペット用ベッド１１の扉部１８の正面図である。更に、図１０は、ペット用ベッド１１の内側において扉部１８が取り付けられる部分を示す部分拡大図である。
【００３５】
図６に示すように、ペット用ベッド１１は、ペット用の寝床となるベッド部１２と、ベッド部１２を取り囲みその上方を覆うように設けられたフード部１４と、を有し、更に、フード部１４において略横方向に出入り可能に設けられた略円形状の開口部１６と、開口部１６の上部内側に着脱可能に取り付けられかつ開口部１６を開閉可能に塞ぐ扉部１８と、を有する。
【００３６】
そして、少なくともフード部１４の内表面及び開口部１６の外側周縁部１６ａが、ボア生地（起毛織布）で覆われており、フード部１４が、円筒部１４ａと円筒部１４ａの上端に位置する天井部１４ｂとを有し、開口部１６は円筒部１４ａに設けられている。
【００３７】
ベッド部１２は、ペットが寝床とするのに好適な大きさに形成された盤体である。本実施形態では平面視にて略矩形（正方形又は長方形）状である。このベッド部１２は、例えば弾性芯材を表裏両側から外皮生地で包み込んだ構造を有しており、所定厚みを有してクッション性を有している。弾性芯材には、例えば肉厚１〜３ｃｍ程度のウレタンフォーム又は綿等を使用することができる。
【００３８】
外皮生地には、ポリエステル等を含むボア生地などを採用することができる。ベッド部１２の上面（ペットが乗る面）に用いる外皮生地に毛足の長いボア生地を採用すると、ペットにとっても、また飼い主等にとっても、肌触りの良好なものとなる。また、吸水性や通気性が豊富となるような生地選びをすることもできる。
【００３９】
これに対し、ベッド部１２の下面（床面などへ置く面）に用いる外皮生地では、例えば撥水性（非浸透性）を重視した生地選びをするのが好適である。また、下面には例えば樹脂コーティング等により滑り止め加工を施しておいてもよい。
【００４０】
フード部１４は、ベッド部１２のまわり（外周）を取り囲み、かつベッド部１２の上方を覆うように設けられている。このフード部１４は、ベッド部１２のまわりを取り囲むための略半円筒部（壁天井要素）１４ａと、略半円筒部１４ａの両端に位置して当該両端の開口を閉じる側面部（壁要素）１４ｂと、を別々に設けて、これらが結合されている。
【００４１】
これにより、ペット用ベッド１１は、その全体として（フード部１４の外形状として）、横たわった略半円筒形状を呈するものとなっている。なお、壁天井要素と壁要素とは単一の部材で一体的に形成された構造を採用することもできる。
【００４２】
略半円筒部１４ａ、側面部１４ｂ及び扉部１８は、ベッド部１２と略同様に、弾性芯材を外皮生地で包み込んだ構造であってよい。材質的にも同様であって、弾性芯材にはウレタンフォーム又は綿等を採用し、外皮生地にはポリエステル等を含むボア生地（起毛織布）等を採用することができる。これにより洗濯機での丸洗いが可能であり、そのため、常に臭いやカビのない清潔な状態に維持できる利点がある。ただし、外皮生地に滑べり止め機能、吸水性及び撥水性等は必要ではなく、通気性が適度に確保されたものを採用するのが好適である。
【００４３】
ペット用ベッド１１は、略半円筒部１４ａの一部には、正面側に、略横方向にペットが出入り可能な出入口となる開口部１６が設けられており、開口部１６の上部内側に着脱可能に取り付けられかつ開口部１６を開閉可能に塞ぐ扉部１８を有している。図７に示すように、例えばペットが扉部１８を押す等して扉部１８が外側方向に開けば、扉部１８が開いて内部を開放させることができる。
【００４４】
ここで、図９に示すように、本実施形態における扉部１８は、上部の耳部及び略円形状部と下部の略矩形部とが一体的に形成された構造を有しており、耳部には縦方向に略短冊状（ストリップ形状）の面ファスナー１８ａが設けられている。他方、図１０に示すように、ペット用ベッド１１の内側においては、フード部１４の略半円筒部１４ａに、上記の面ファスナー１８ａに対応するように、開口部１６の上部内側に面ファスナー１４ｃが設けられている。
【００４５】
これら面ファスナー１８ａ及び面ファスナー１４ｃは、一対の雄面ファスナー及び雌面ファスナーをなしており（いずれか一方が雄で他方が雌であり）、これにより、扉部１８は円筒部１４ａに着脱可能に取り付けられ、かつ、開口部１６を開閉可能に塞ぐことができる。
【００４６】
なお、フード部１４の略半円筒部１４ａの内表面及び開口部１６の外側周縁部１６ａが、ポリエステル等を含むボア生地（起毛織布）起毛織布で覆われている。
【００４７】
このような構成により、開口部１６の上部内側に着脱可能に取り付けられかつ開口部１６を開閉可能に塞ぐ扉部１８を有する本実施形態のペット用ベッド１１は、防寒性及び観賞性に優れるものである。
【００４８】
以上、詳説したところから明らかなように、本考案の第１実施形態のペット用ベッド１及び第２実施形態のペット用ペッド１１は、防寒性及び観賞性に優れるものであることがわかるが、本考案の技術的思想を具現化していれば種々の設計変更が可能であり、それらはすべて本考案に含まれる。
【００４９】
例えば、上記第１実施形態及び第２実施形態においては、開口部６及び開口部１６を略円形状とした場合について説明したが、ペットが出入りすることができる形状であればどのような形状であってもよく、例えば三角形状、正方形状若しくは長方形状の矩形状、半円形状、上部が略円形で下部が矩形の形状等であってもよい。
【００５０】
このとき、扉部８及び扉部１８は、それぞれ開口部６及び開口部１６の形状に対応する形状を有し、開口部６及び開口部１６を塞ぐことのできる寸法を有していればよい。
【００５１】
また、上記第１実施形態及び第２実施形態においては、それぞれ面ファスナー８ａ及び面ファスナー１８ａ並びに面ファスナー４ｃ及び面ファスナー１４ｃが略短冊状（ストリップ形状）を有する場合について説明したが、これらのみに限定されるものではなく、例えば、円形状、楕円形状、三角形状、正方形状若しくは長方形状の矩形状、半円形状、上部が略円形で下部が矩形の形状等であってもよい。
【００５２】
また、上記第１実施形態及び第２実施形態においては、それぞれ面ファスナー８ａ及び面ファスナー１８ａ並びに面ファスナー４ｃ及び面ファスナー１４ｃを用いた場合について説明したが、扉部８及び扉部１８をフード部４及びフード部１４に着脱可能に取り付けることができるものであれば、面ファスナーの代わりに用いてもよい。例えば、ジッパーやボタンであってもよい。
【００５３】
また、上記第１実施形態及び第２実施形態においては、それぞれフード部４及びフード部１３を直立する円筒形状及び横たわる半円筒形状とした場合について説明したが、例えば立方体若しくは直方体等の四角い箱状、略球状又は略半球状等とすることできる。
【００５４】
また、上記第１実施形態及び第２実施形態においては、それぞれベッド部２及びベッド部１２が平面視で略円形状及び略矩形状である場合について説明したが、フード部の形状に応じて、例えば円形状、楕円形状、三角形状、正方形状若しくは長方形状の矩形状、半円形状、上部が略円形で下部が矩形の形状等の、種々の形状を有していてよい。
【００５５】
なお、フード部は、ペットが開口部を通り抜けるときに簡単に撓みや曲がりが生じない程度に、保形力（剛性）を有するのが好適である。これにより、ペットが開口部にもたれ掛かった際等の変形防止効果に繋がる。
【００５６】
保形力を持たせるには、弾性芯材の厚みを分厚くしたり、材質的に硬質なものを採用したりすることで達成できる。なお、このようにすることで、開口部を通り抜けるペットに適度な接触圧（刺激）を与え、感性を高めさせる（興味や認識を強くさせる）利点もある。
【符号の説明】
【００５７】
１、１１・・・ ペット用ベッド、
２、１２・・・ ベッド部、
４、１４・・・ フード部、
４ａ・・・円筒部、
４ｂ・・・天井部、
４ｃ、１４ｃ・・・面ファスナー、
６、１６・・・開口部、
８、１８・・・扉部、
８ａ、１８ａ・・・面ファスナー、
１４ａ・・・略半円筒部、
１４・・・側面部。
【図１】
0003177310.tif 000003
【図２】
0003177310.tif 000004
【図３】
0003177310.tif 000005
【図４】
0003177310.tif 000006
【図５】
0003177310.tif 000007
【図６】
0003177310.tif 000008
【図７】
0003177310.tif 000009
【図８】
0003177310.tif 000010
【図９】
0003177310.tif 000011
【図１０】
0003177310.tif 000012